(57)【要約】【課題】従来のような大型の真空ユニットを必要とせず、小さい面積で、経済的に設置することができる、水処理装置を提供することを目的とする。【解決手段】水道水などの源水を、脱気装置を介して処理水管へ供給する水処理装置である。脱気装置は、負圧発生器によって発生させた負圧によって源水が含有する酸素などを水から吸引する装置より構成する。ポンプによって、脱気装置と負圧発生器へ加圧状態の未処理水を供給する。負圧発生器においては、動力水の水路の一部を絞り込むことによるベンチュリー効果によって、動力水の水路に負圧を生じさせる。この負圧を負圧管によって前記の脱気装置に供給するように構成する。脱気装置の出口側に接続した処理水管は利用者へ給水可能に構成する。【選択図】        図１
2005111443.tif 000002
【特許請求の範囲】
【請求項１】
水道水などの源水を、脱気装置を介して処理水管へ供給する水処理装置であって、
脱気装置は、負圧発生器によって発生させた負圧によって未処理の源水が含有する酸素などを水から吸引する装置より構成し、
脱気装置と負圧発生器とに加圧状態の未処理水を供給し、
負圧発生器においては、動力水の水路の一部を絞り込むことによるベンチュリー効果によって、動力水の水路に負圧を生じさせ、
この負圧を負圧管によって前記の脱気装置に供給するように構成し、
脱気装置の出口側に接続した処理水管は利用者へ給水可能に構成した、
水処理装置。
【請求項２】
脱気装置は、
酸素透過膜で構成した多数のパイプ群によって構成し、
このパイプ群の周囲は負圧状態に形成し、
この負圧によって、
酸素透過膜のパイプ内を通過する水から、水が含有する酸素などを吸引するように構成した、
請求項１記載の、水処理装置。
【請求項３】
脱気装置は、
酸素透過膜で構成した多数のパイプ群によって構成し、
このパイプ内を負圧状態に形成し、
この負圧によって、
パイプの周囲を通過する水から、水が含有する酸素などを吸引するように構成した、
請求項１記載の、水処理装置。
【発明の詳細な説明】
【技術分野】
【０００１】
本発明は、水処理装置に関するものである。
【背景技術】
【０００２】
従来から水道管の内部に蓄積するサビは、主に水の内部に溶け込んだ酸素の影響であることが知られている。
そのために、図２に示すように、水道水などの源水を脱気装置ａを介して処理水管ｂへ供給する水処理装置が知られている。
脱気装置ａは、負圧発生器ｃによって発生させた負圧によって源水が含有する酸素などを水から吸引する装置であるが、そのために負圧発生ユニットｄを設置する必要があった。
この真空ユニットｄは、水槽ｅに設けた負圧発生器ｃとポンプｐとより構成する。負圧を発生させる場合には、ポンプｐを駆動して水槽ｅ内の水を吸引して負圧発生器ｃに供給し、内部の水路を通過させる。
負圧発生器ｃは、水の水路をいったん絞り込んでベンチュリー管状に形成してある。そのために水路を通過する水の圧力によって負圧が生じるので、この負圧を水路と直交する方向に接続した負圧管ｆを介して脱気装置ａに供給する構造である。
【発明の開示】
【発明が解決しようとする課題】
【０００３】
前記した従来の水処理装置にあっては、次のような問題点がある。
＜１＞真空ユニットｄ内では、水槽ｅの水を長時間循環させ続けて、負圧を発生させる構造である。
そのために水の温度が５０℃程度まで上昇する場合があった。
水温が上昇すると、真空性能が低下し、その結果、目的とする脱気性能を低下させる可能性があった。
＜２＞水槽ｅ内の温度上昇を避けるために、水槽ｅ内に熱交換器ｇを設置する場合があったが、この熱交換器ｇへの供給水として脱気回路を流れる水を使用している。そのような構造であると、熱交換器ｇ用の別回路から水の供給をうける必要がなく経済的である。しかし熱を奪った水が受水タンクｈに戻ることになり、受水タンクｈの水温まで上昇させてしまう場合があった。
＜３＞真空ユニットの水温を下げるために、熱交換器ｇとは別に換気扇ｊを設ける構造も採用されているが、この換気扇ｊに水槽ｅ内の水のシリカなどが付着して故障の原因となっていた。
＜４＞また真空ユニットｄの水槽ｅ内の水量を一定に維持しておくために補給水用のボールタップｉなどの装置が必要であり、そのための保守管理も必要となる。
＜５＞上記したように、長時間運転を続けると水槽内の水温が上昇するので、夜間は冷却のためにポンプｐの運転を停止する必要があった。そのためにポンプ管理のタイマー、トランスなどの部品が必要であった。
＜６＞真空ユニットｄは、上記のような各種の部材、部品を必要とするために、大型の装置となり、設置にも場所と手数を要する、不経済なものであった。
【課題を解決するための手段】
【０００４】
上記のような課題を解決するために、本発明の水処理装置は、水道水などの源水を、脱気装置を介して処理水管へ供給する水処理装置であって、脱気装置は、負圧発生器によって発生させた負圧によって未処理の源水が含有する酸素などを水から吸引する装置より構成し、脱気装置と負圧発生器とに加圧状態の未処理水を供給し、負圧発生器においては、動力水の水路の一部を絞り込むことによるベンチュリー効果によって、動力水の水路に負圧を生じさせ、この負圧を負圧管によって前記の脱気装置に供給するように構成し、脱気装置の出口側に接続した処理水管は利用者へ給水可能に構成した、水処理装置を特徴としたものである。
【発明の効果】
【０００５】
本発明の水処理装置は上記のような手段を採用するから、次のような効果を得ることができる。
＜１＞真空を発生させるために、脱気装置の入り口側で分岐した未処理水の一部を負圧発生器３に供給する構造であり、従来のように特別な真空ユニットが不要である。
＜２＞従来のように真空ユニットが存在しないから、真空ユニット内で同じ水を循環させて水温を上昇させるようなことがなく、水温上昇に伴う負圧効率の低下、そのための脱気性能の低下、といった問題が一切発生しない。
＜３＞水温の安定した水で負圧発生を行うことができ、負圧の状態が常に安定しているから、安定した強い脱気性能を期待することができる。
＜４＞従来のように、負圧発生のためだけに水を循環させる必要がなく、水の温度が上昇しないから熱交換器を設置する必要がない。
＜５＞真空ユニットが存在しないから、そのための水槽や水量を一定に維持しておくための各種の装置や、長時間運転を続けるポンプの管理のためのブレーカーなどの部品が不要である。
＜６＞真空ユニットは常時同じ水で運転を続けるから、温度上昇の問題だけでなく、ポンプ周り、水槽内面、換気扇にシリカが付着する問題もあった。しかし本発明の装置は真空ユニットが存在しないので、そのような問題がまったく発生しない。
＜７＞水温の上昇の問題がないから、夜間に運転を停止して冷却する必要がなく、そのためのタイマーなどの設置や管理が不用である。
＜８＞真空を発生させるための特別なユニットがないから、装置が小型になり、設置場所が小さく、設置の手数もかからず経済的である。
＜９＞ポンプを、脱気装置の出口側に設置する装置も考えられるが、そのような構造であると、せっかく脱気処理の終わった水を負圧発生のための動力として使用するため、脱気装置の構造が大きくなってしまう。それに対して本発明の装置では、負圧発生の動力として使用する水は脱気処理していないから、脱気膜の本数を大幅に減少させることができ、装置の小型化、重量の軽減を図ることができる。
＜１０＞また、ポンプを脱気装置の出口側に設置すると、処理水量の安定した確保のためには、入り口側にも未処理水を強制的に脱気装置へ供給するための別のポンプが必要になるといった不経済な問題が発生する。
それに対して本発明の装置では、脱気装置の入り側にポンプを設置してあるから、安定した処理水を確保することができる。
【発明を実施するための最良の形態】
【０００６】
本発明を実施するための最良の形態は、水道水などの源水を、脱気装置を介して処理水管へ供給する水処理装置であって、脱気装置は、負圧発生器によって発生させた負圧によって源水が含有する酸素などを水から吸引する装置より構成し、脱気装置と負圧発生器とに加圧状態の源水を供給し、負圧発生器においては、動力水の水路の一部を絞り込むことによるベンチュリー効果によって、動力水の水路に負圧を生じさせ、この負圧を負圧管によって前記の脱気装置に供給するように構成し、脱気装置の出口側に接続した処理水管は利用者へ給水可能に構成した、水処理装置を特徴としたものである。
【実施例】
【０００７】
以下図面を参照しながら本発明の水処理装置の実施例について説明する。
＜１＞全体の構成。
本発明の水処理装置は、水道水などの源水を、脱気装置を介して処理水管へ供給する水処理装置である。
具体的には図１に示すように、受水タンク１、脱気装置２、負圧発生器３、および各装置間を連結する管によって構成する。
なお、管の適宜の箇所にバルブを設けたり、処理水を受水タンク１に戻すような配管を設ける場合があるが、本発明の機能に直接関係がないため図１では省略している。
【０００８】
＜２＞受水タンク１。
受水タンク１は、水を貯めるための水槽であり、ビルやマンションの地下や屋上などに設置する。
この受水タンク１へは、水道水や地下水などの源水を、源水供給管ｐ１を介して供給する。
受水タンク１の水位を一定に保つために、受水タンク１内の水面に浮かべたフロートの昇降によって、源水供給用のポンプの運転、停止を行う。
【０００９】
＜３＞脱気装置２。
脱気装置２は、源水が含有している酸素などを、水中から除去するための装置である。
そのために、脱気装置２は、酸素透過膜で構成した多数のパイプ２１群によって構成する。
そして、このパイプ２１群の周囲には負圧状態の空間を形成しておく。
この負圧によって、酸素透過膜のパイプ２１を通過する水から、水が含有する酸素などを吸引して排除することができる。
なお、脱気装置２としては酸素透過膜で構成したパイプ２１内を負圧状態に形成し、この負圧によって、パイプ２１の周囲を通過する水から、水が含有する酸素などを吸引する構造のものを採用することもできる。
【００１０】
＜４＞ポンプによる水の供給。  
受水タンク１と脱気装置２の間には加圧ポンプＰを設置する。
このポンプＰの動力によって脱気装置２に受水タンク１内の未処理水を供給し、この未処理水を脱気装置２のパイプ２１内を通過させる。
パイプ２１内を通過して脱気処理のおわった水は出口に接続した処理水管ｐ５に供給する。
この処理水管ｐ５は利用者へ給水するための管であり、例えば家庭の水道の蛇口に接続する。
処理水管ｐ５の一部は、受水タンク１へ戻す。
その結果、ポンプＰは常時運転を続けていても、利用者の利用量以上の余剰水は、受水タンク１へ戻ることになる。そのために処理水管ｐ５と受水タンク１の接続部には逆止弁を設けておき、受水タンク１から処理水管ｐ５へ未処理水が浸入することがないように構成する。
【００１１】
＜５＞負圧発生器３。
負圧発生器３は、水が通過する水路をいったん絞り込んでベンチュリー管状に形成した筒体である。
その水路に水を通過させると、絞り込み部分を通過する水の通過速度が上昇し、その圧力によって負圧が生じる。
そのために負圧発生器３には前記のポンプＰで加圧した圧力水を、動力水管ｐ６を介して供給する。
この圧力水の通過で発生した負圧を、圧力水の通路と直交する方向に接続した負圧管ｐ４に付与する。
【００１２】
＜６＞負圧管の接続。
負圧発生器３において発生した負圧は、負圧管ｐ４を介して脱気装置２に供給する。この負圧によって、脱気装置２内の酸素透過膜製のパイプ２１内を通過する水から酸素が吸引されて排出される。
あるいは、負圧管ｐ４を、酸素透過膜で構成したパイプ２１側に接続し、パイプ２１内を負圧状態に形成し、一方、パイプ２１の周囲には水を供給する管を接続して、パイプ２１の周囲を通過する水から、水が含有する酸素などをパイプ２１内に吸引するような配管方式を採用することもできる。
【００１３】
＜７＞処理工程。
源水供給管ｐ１から水道水などを受水タンク１に供給する。
受水タンク１の水は、脱気装置２の供給側に設置したポンプＰの動力によって、未処理水管ｐ２を介して脱気装置２に供給される。
未処理水は脱気装置２の内部の酸素透過膜製のパイプ２１内を通過する際に、周囲の負圧によって含有している酸素を除去処理する。
処理の終わった水は脱気装置２の出口側に接続した処理水管ｐ５から家庭などの最終使用者に供給する。
一方、ポンプＰの出口側で分岐した動力水管ｐ６からの水は、負圧発生器３に供給して、負圧を発生させる。
この負圧を、負圧管ｐ４を介して脱気装置２に供給し、通過中の水から酸素などを脱気する作用を行う。
このように、本発明の水処理装置は脱気装置で処理する前の未処理水の一部を負圧発生器３に戻すことによって負圧を発生させ、この負圧で未処理水の脱気を行うことができる。
【００１４】
＜８＞他の実施例。
上記の構成は、図１に示すように、ポンプＰによって加圧状態の未処理水を、脱気装置２と負圧発生器３とに供給する構造であった。
しかし図２に示すように、受水タンク１と脱気装置２との間に脱気用ポンプＰを設置して脱気装置２に加圧状態の未処理水を供給し、受水タンク１と負圧発生器３との間に他のポンプＰを設置して負圧発生器３に加圧状態の未処理水を供給する構成を採用することもできる。
【図面の簡単な説明】
【００１５】
【図１】本発明の水処理装置の実施例の説明図。
【図２】他の実施例の説明図。
【図３】従来の水処理装置の実施例の説明図。
【符号の説明】
【００１６】
１：受水タンク
２：脱気装置
３：負圧発生器
【図１】
2005111443.tif 000003
【図２】
2005111443.tif 000004
【図３】
2005111443.tif 000005